(57)【特許請求の範囲】
【請求項１】
平行な直線水路を、水路を内外周に区分して水流の乱れを防止するためのコーナガイドを設置したコーナ部により接続するようにした循環水路を有する曝気槽に、複数台の曝気機を設置して構成した曝気設備において、循環水路のコーナ部近傍の上流側の直線水路に設置した複数台のすべての曝気機を、曝気機の水流が直線水路の外側に偏向するように配置したことを特徴とする曝気設備。
【発明の詳細な説明】
【０００１】
【発明の属する技術分野】
本発明は、下水処理場や汚水処理場に設置される曝気設備に関し、特に、平行な直線水路をコーナ部により接続するようにした循環水路を有する曝気槽に、複数台の曝気機を設置して構成した曝気設備に関するものである。
【０００２】
【従来の技術】
従来、下水処理場や汚水処理場に流入する下水や汚水（本明細書において、「汚水」という。）を処理するために曝気設備が用いられる。
この曝気設備として、例えば、図３〜図４に示すように、仕切板１１を隔てて形成した平行な直線水路Ａ，Ｂを、水流の乱れを防止するためのコーナガイド１４，１５を設置したコーナ部１２，１３により接続するようにした循環水路を有する曝気槽１０に、複数台の曝気機１，２，３，４を、コーナ部１２，１３のいずれか一方、本実施例においては、コーナ部１２寄りの直線水路Ａ，Ｂを横切る直線Ｘに沿って設置して構成したものが用いられている。
【０００３】
【発明が解決しようとする課題】
ところで、このように複数台の曝気機１，２，３，４を、コーナ部１２，１３のいずれか一方寄りの直線水路Ａ，Ｂを横切る直線Ｘに沿って設置した場合、直線水路Ａに設置されている２台の曝気機１，２による水流は、コーナ部１２に向けて、直線水路Ｂに設置されている２台の曝気機３，４による水流は、コーナ部１３に向けて、それぞれ流れる。
【０００４】
この場合、直線水路Ａに設置されている２台の曝気機１，２は、コーナ部１２に近く、一方、直線水路Ｂに設置されている２台の曝気機３，４は、コーナ部１３から遠いため、曝気機１，２による水流と、曝気機３，４による水流とは、その性質が異なるものとなる。
具体的には、曝気機１，２による水流の大部分は、コーナ部１２に設置したコーナガイド１４に沿って流れ、直線水路Ｂへの流れ２２となるが、その一部は、コーナガイド１４の上部等に衝突して直線水路Ａを逆流する流れ２０となる。
この逆流する流れ２０と、曝気機３，４による直線水路Ｂからコーナ部１３を経た流れ２１とが衝突し、直線水路Ａの曝気機１，２の近傍位置に、流速の遅い領域３０が生じる。
このように、直線水路Ａの曝気機１，２の近傍位置に生じた流速の遅い領域３０は、水流による撹拌が不十分となり、汚水中の固形物、例えば、汚泥が沈降、沈積しやすくなるという問題点があった。
【０００５】
本発明は、従来の曝気設備の有する問題点に鑑み、直線水路の曝気機の近傍位置に、流速の遅い領域が生じないようにして、汚水中の固形物が沈降、沈積することを防止するとともに、汚水の均一な撹拌、曝気を効率的に行うことができるようにした曝気設備を提供することを目的とする。
【０００６】
【課題を解決するための手段】
上記目的を達成するため、本発明の曝気設備は、平行な直線水路を、水路を内外周に区分して水流の乱れを防止するためのコーナガイドを設置したコーナ部により接続するようにした循環水路を有する曝気槽に、複数台の曝気機を設置して構成した曝気設備において、循環水路のコーナ部近傍の上流側の直線水路に設置した複数台のすべての曝気機を、曝気機の水流が直線水路の外側に偏向するように配置したことを特徴とする。
【０００７】
この曝気設備は、平行な直線水路を、水路を内外周に区分して水流の乱れを防止するためのコーナガイドを設置したコーナ部により接続するようにした循環水路を有する曝気槽に、複数台の曝気機を設置して構成した曝気設備において、循環水路のコーナ部近傍の上流側の直線水路に設置した複数台のすべての曝気機を、曝気機の水流が直線水路の外側に偏向するように配置するようにしているので、曝気機による水流が衝突して直線水路を逆流する流れが発生せず、直線水路の曝気機の近傍位置に、流速の遅い領域が生じない。
【０００８】
【発明の実施の形態】
以下、本発明の曝気設備の実施の形態を図面に基づいて説明する。
【０００９】
図１〜図２に、本発明の曝気設備の一実施例を示す。
この曝気設備は、従来の曝気設備と同様、仕切板１１を隔てて形成した平行な直線水路Ａ，Ｂを、水流の乱れを防止するためのコーナガイド１４，１５を設置したコーナ部１２，１３により接続するようにした循環水路を有する曝気槽１０に、複数台、本実施例においては４台のスクリュー式の曝気機１，２，３，４を、コーナ部１２，１３のいずれか一方、本実施例においては、コーナ部１２寄りの直線水路Ａ，Ｂを横切る直線Ｘに沿って、２台ずつ設置して構成されている。
これにより、曝気槽１０内に導入された汚水を、直線水路Ａからコーナ部１２、直線水路Ｂ、コーナ部１３へと循環するようにしている。
【００１０】
この場合において、スクリュー式の曝気機１，２，３，４のうち、循環水路のコーナ部１２の上流側の直線水路Ａに設置する２台の曝気機１，２を、曝気機１，２の水流が直線水路Ａの外側に偏向するように配置するようにする。
この場合、曝気機１，２の偏向角度θは、コーナ部１２との距離、曝気機１，２により発生する流れ２２の流速等に応じて適宜設定することができるが、通常、５〜４５゜、好ましくは、１０〜２０゜の範囲に設定するようにする。
【００１１】
一方、循環水路のコーナ部１２の下流側の直線水路Ｂに設置する２台の曝気機３，４は、曝気機３，４の水流が直線水路Ｂと平行となるように配置するようにする。
【００１２】
このように、循環水路のコーナ部１２の上流側の直線水路Ａに設置する曝気機１，２を、曝気機１，２の水流が直線水路Ａの外側に偏向するように配置するようにしているので、曝気機１，２による水流は、コーナガイド１４に直接衝突せずに、コーナ部１２へ導入される。
コーナ部１２に導入された流れ２２は、図２に示すように、その一部がコーナ部１２の周面に衝突して逆流する流れ２３が発生するが、この逆流する流れ２３は、コーナガイド１４の外周面に当たり、その結果、直線水路Ａを逆流する流れとはならずに、コーナ部１２から直線水路Ｂに向けて流れる。
これにより、直線水路Ａを逆流する流れが発生せず、直線水路Ａの曝気機１，２の近傍位置に、流速の遅い領域が生じることを防止することができる。
【００１３】
また、循環水路のコーナ部１２，１３にコーナガイド１４，１５を設置しない場合も、循環水路のコーナ部１２の上流側の直線水路Ａに設置する曝気機１，２を、曝気機１，２の水流が直線水路Ａの外側に偏向するように配置するようにすることにより、曝気機１，２による水流が、コーナ部１２の周面に沿って流れやすくなり、直線水路Ａを逆流する流れが発生しにくくなり、直線水路Ａの曝気機１，２の近傍位置に、流速の遅い領域が生じることを防止することができる。
【００１４】
【発明の効果】
本発明の曝気設備によれば、平行な直線水路を、水路を内外周に区分して水流の乱れを防止するためのコーナガイドを設置したコーナ部により接続するようにした循環水路を有する曝気槽に、複数台の曝気機を設置して構成した曝気設備において、循環水路のコーナ部近傍の上流側の直線水路に設置した複数台のすべての曝気機を、曝気機の水流が直線水路の外側に偏向するように配置するようにしているので、曝気機による水流が衝突して直線水路を逆流する流れが発生せず、直線水路の曝気機の近傍位置に、流速の遅い領域が生じることがない。このため、汚水中の固形物が沈降、沈積することを防止するとともに、汚水の均一な撹拌、曝気が行われ、汚水処理を効率的に行うことができる。
【図面の簡単な説明】
【図１】  本発明の曝気設備の一実施例を示す平面図である。
【図２】  同直線水路における正面縦断面図である。
【図３】  従来の曝気設備を示す平面図である。
【図４】  同直線水路における正面縦断面図である。
【符号の説明】
Ａ    直線水路
Ｂ    直線水路
１，２，３，４  曝気機
１０  曝気槽
１１  仕切板
１２，１３  コーナ部
１４，１５  コーナガイド
２１  水流
２２  コーナに向う水流
２３  逆流
【図１】
0003676565.tif 000002
【図２】
0003676565.tif 000003
【図３】
0003676565.tif 000004
【図４】
0003676565.tif 000005